(57)【要約】  本発明は、コンピュータ技術の分野に属する画面表示制御の方法、装置、プログラム及び記録媒体に関する。前記方法は、ターゲットアプリケーションプログラムを使用するプロセスにおいて、ターゲットインタフェースが表示されたことを検出した場合、予め記憶されたアプリケーションプログラムのインタフェースと輝度調整パラメータとの対応関係に基づいて、前記ターゲットインタフェースに対応する輝度調整パラメータを決定するステップと、前記ターゲットインタフェースに対応する輝度調整パラメータに基づいて、現在のバックライト輝度を低下させるステップと、を含む。本発明を採用し、携帯電話の画面の電力消費を低下させる方法が提供される。【選択図】図１
2020507093.tif 000002
【特許請求の範囲】
【請求項１】
ターゲットアプリケーションプログラムを使用するプロセスにおいて、ターゲットインタフェースが表示されたことを検出した場合、予め記憶されたアプリケーションプログラムのインタフェースと輝度調整パラメータとの対応関係に基づいて、前記ターゲットインタフェースに対応する輝度調整パラメータを決定するステップと、
前記ターゲットインタフェースに対応する輝度調整パラメータに基づいて、現在のバックライト輝度を低下させるステップと、を含む
ことを特徴とする画面表示制御の方法。
【請求項２】
前記予め記憶されたアプリケーションプログラムのインタフェースと輝度調整パラメータとの対応関係に基づいて、前記ターゲットインタフェースに対応する輝度調整パラメータを決定するステップの前に、
現在の環境光の輝度を取得するステップと、
前記現在の環境光の輝度が予め設定された輝度の範囲内にあることを決定するステップと、をさらに含む
ことを特徴とする請求項１に記載の方法。
【請求項３】
前記ターゲットインタフェースが表示されたことを検出した場合、予め記憶されたアプリケーションプログラムのインタフェースと輝度調整パラメータとの対応関係に基づいて、前記ターゲットインタフェースに対応する輝度調整パラメータを決定するステップは、
ターゲットインタフェースが表示されたことを検出した場合、現在の環境光の輝度を取得するステップと、
前記現在の環境光の輝度、及び予め記憶されたアプリケーションプログラムのインタフェース、環境光の輝度範囲と輝度調整パラメータとの対応関係に基づいて、前記ターゲットインタフェースに対応する輝度調整パラメータを決定するステップと、を含む
ことを特徴とする請求項１に記載の方法。
【請求項４】
前記予め記憶されたアプリケーションプログラムのインタフェースと輝度調整パラメータとの対応関係に基づいて、前記ターゲットインタフェースに対応する輝度調整パラメータを決定するステップの前に、
現在のバックライト輝度を取得するステップと、
前記現在のバックライト輝度がプリセット数値よりも大きいことを決定するステップと、をさらに含む
ことを特徴とする請求項１に記載の方法。
【請求項５】
前記ターゲットインタフェースが表示されたことを検出した場合、予め記憶されたアプリケーションプログラムのインタフェースと輝度調整パラメータとの対応関係に基づいて、前記ターゲットインタフェースに対応する輝度調整パラメータを決定するステップは、
ターゲットインタフェースが表示されたことを検出した場合、現在のバックライト輝度を取得するステップと、
前記現在のバックライト輝度、及び予め記憶されたアプリケーションプログラムのインタフェース、バックライト輝度範囲と輝度調整パラメータとの対応関係に基づいて、前記ターゲットインタフェースに対応する輝度調整パラメータを決定するステップと、を含む
ことを特徴とする請求項１に記載の方法。
【請求項６】
プリセット期間ごとにサーバーに輝度調整パラメータを取得する要求を送信するステップと、
前記サーバーから送信された前記プリケーションプログラムのインタフェースに対応する輝度調整パラメータを受信するステップと、
受信されたアプリケーションプログラムのインタフェースに対応する輝度調整パラメータに基づいて、前記予め記憶されたアプリケーションプログラムのインタフェースと輝度調整パラメータとの対応関係を更新するステップと、をさらに含む
ことを特徴とする請求項１に記載の方法。
【請求項７】
前記輝度調整パラメータが調整輝度であり、
前記ターゲットインタフェースに対応する輝度調整パラメータに基づいて、現在のバックライト輝度を低下させるステップは、
前記現在のバックライト輝度から前記ターゲットインタフェースに対応する調整輝度を差し引いて、低下後のバックライト輝度を取得するステップ、を含む
ことを特徴とする請求項１〜６のいずれか１項に記載の方法。
【請求項８】
前記輝度調整パラメータが調整割合であり、
前記ターゲットインタフェースに対応する輝度調整パラメータに基づいて、現在のバックライト輝度を低下させるステップは、
前記現在のバックライト輝度に前記ターゲットのインタフェースに対応する調整割合を乗算して、低下後のバックライト輝度を取得するステップ、又は、
前記現在のバックライト輝度と前記ターゲットインタフェースに対応する調整割合を乗算した積を算出し、前記現在のバックライト輝度から前記積を差し引いて、低下後のバックライト輝度を取得するステップ、を含む
ことを特徴とする請求項１〜６のいずれか１項に記載の方法。
【請求項９】
ターゲットアプリケーションプログラムを使用するプロセスにおいて、ターゲットインタフェースが表示されたことを検出した場合、予め記憶されたアプリケーションプログラムのインタフェースと輝度調整パラメータとの対応関係に基づいて、前記ターゲットインタフェースに対応する輝度調整パラメータを決定するための決定モジュールと、
前記ターゲットインタフェースに対応する輝度調整パラメータに基づいて、現在のバックライト輝度を低下させるための調整モジュールと、を備える
ことを特徴とする画面表示制御の装置。
【請求項１０】
前記決定モジュールは、
現在の環境光の輝度を取得し、
前記現在の環境光の輝度が予め設定された輝度の範囲内にあることを決定するためにさらに用いられる
ことを特徴とする請求項９に記載の装置。
【請求項１１】
前記決定モジュールは、
ターゲットインタフェースが表示されたことを検出した場合、現在の環境光の輝度を取得し、
前記現在の環境光の輝度、及び予め記憶されたアプリケーションプログラムのインタフェース、環境光の輝度範囲と輝度調整パラメータとの対応関係に基づいて、前記ターゲットインタフェースに対応する輝度調整パラメータを決定するために用いられる
ことを特徴とする請求項９に記載の装置。
【請求項１２】
前記決定モジュールは、
現在のバックライト輝度を取得し、
前記現在のバックライト輝度がプリセット数値よりも大きいことを決定するためにさらに用いられる
ことを特徴とする請求項９に記載の装置。
【請求項１３】
前記決定モジュールは、
ターゲットインタフェースが表示されたことを検出した場合、現在のバックライト輝度を取得し、
前記現在のバックライト輝度、及び予め記憶されたアプリケーションプログラムのインタフェース、バックライト輝度範囲と輝度調整パラメータとの対応関係に基づいて、前記ターゲットインタフェースに対応する輝度調整パラメータを決定するために用いられる
ことを特徴とする請求項９に記載の装置。
【請求項１４】
プリセット期間ごとにサーバーに輝度調整パラメータを取得する要求を送信するための送信モジュールと、
前記サーバーから送信された前記アプリケーションプログラムのインタフェースに対応する輝度調整パラメータを受信するための受信モジュールと、
受信されたアプリケーションプログラムのインタフェースに対応する輝度調整パラメータに基づいて、前記予め記憶されたアプリケーションプログラムのインタフェースと輝度調整パラメータとの対応関係を更新するための更新モジュールと、をさらに備える
ことを特徴とする請求項９に記載の装置。
【請求項１５】
前記輝度調整パラメータが調整輝度であり、
前記調整モジュールは、
前記現在のバックライト輝度から前記ターゲットインタフェースに対応する調整輝度を差し引いて、低下後のバックライト輝度を取得するために用いられる
ことを特徴とする請求項９〜１４のいずれか１項に記載の装置。
【請求項１６】
前記輝度調整パラメータが調整割合であり、
前記調整モジュールは、
前記現在のバックライト輝度に前記ターゲットインタフェースに対応する調整割合を乗算して、低下後のバックライト輝度を取得する、又は、
前記現在のバックライト輝度と前記ターゲットインタフェースに対応する調整割合を乗算した積を算出し、前記現在のバックライト輝度から前記積を差し引いて、低下後のバックライト輝度を取得するために用いられる
ことを特徴とする請求項９〜１４のいずれか１項に記載の装置。
【請求項１７】
記録媒体において、少なくとも１つの命令、少なくとも１つのプログラム、コードセットまたは命令セットが記憶され、前記少なくとも１つの命令、前記少なくとも１つのプログラム、前記コードセット又は命令セットがプロセッサによりロードされ実行されることで、請求項１〜８のいずれか１項に記載の画面表示制御の方法が実行される、
ことを特徴とするコンピュータが読み取り可能な記録媒体。
【請求項１８】
プロセッサと、
少なくとも１つの命令、少なくとも１つのプログラム、コードセットまたは命令セットが記憶されているメモリと、を備え、
前記少なくとも１つの命令、前記少なくとも１つのプログラム、前記コードセット又は命令セットが前記プロセッサによりロードされ実行されることで、請求項１〜８のいずれか１項に記載の画面表示制御の方法が実行される、
ことを特徴とする画面表示制御の装置。
【発明の詳細な説明】
【技術分野】
【０００１】
当該出願は、出願番号が２０１７１１２６５２０１．４であって、出願日が２０１７年１２月５日である中国特許出願を基礎として優先権を主張し、当該中国特許出願の内容全体は、本願発明に援用される。
【０００２】
本発明は、コンピュータの技術分野に関し、特に画面表示制御の方法及び装置に関する。
【背景技術】
【０００３】
コンピュータ技術の発展とともに、携帯電話などのモバイル端末は現代人の必需品となり、人々の日常生活においてますます重要な役割を果たしている。
【０００４】
携帯電話の画面のサイズがますます大きくなってくると共に、携帯電話の画面が携帯電話の消費量にとって最も重要な要因となっているため、携帯電話の画面の消費量を低下させる方法が急務となっている。
【発明の概要】
【発明が解決しようとする課題】
【０００５】
本発明は、従来技術に存在する問題を解決するために、画面表示制御の方法及び装置を提供する。
【課題を解決するための手段】
【０００６】
本発明の実施例の第１の態様によれば、画面表示制御の方法を提供し、前記方法は、
ターゲットアプリケーションプログラムを使用するプロセスにおいて、ターゲットインタフェースが表示されたことを検出した場合、予め記憶されたアプリケーションプログラムのインタフェースと輝度調整パラメータとの対応関係に基づいて、前記ターゲットインタフェースに対応する輝度調整パラメータを決定するステップと、
前記ターゲットインタフェースに対応する輝度調整パラメータに基づいて、現在のバックライト輝度を低下させるステップと、を含む。
【０００７】
選択的に、前記予め記憶されたアプリケーションプログラムのインタフェースと輝度調整パラメータとの対応関係に基づいて、前記ターゲットインタフェースに対応する輝度調整パラメータを決定するステップの前に、
現在の環境光の輝度を取得するステップと、
前記現在の環境光の輝度が予め設定された輝度の範囲内にあることを決定するステップと、をさらに含む。
【０００８】
選択的に、前記ターゲットインタフェースが表示されたことを検出した場合、予め記憶されたアプリケーションプログラムのインタフェースと輝度調整パラメータとの対応関係に基づいて、前記ターゲットインタフェースに対応する輝度調整パラメータを決定するステップは、
ターゲットインタフェースが表示されたことを検出した場合、現在の環境光の輝度を取得するステップと、
前記現在の環境光の輝度、及び予め記憶されたアプリケーションプログラムのインタフェース、環境光の輝度範囲と輝度調整パラメータとの対応関係に基づいて、前記ターゲットインタフェースに対応する輝度調整パラメータを決定するステップと、を含む。
【０００９】
このようにして、より正確的な輝度調整パラメータを取得ことができる。
【００１０】
選択的に、前記予め記憶されたアプリケーションプログラムのインタフェースと輝度調整パラメータとの対応関係に基づいて、前記ターゲットインタフェースに対応する輝度調整パラメータを決定するステップの前に、
現在のバックライト輝度を取得するステップと、
前記現在のバックライト輝度がプリセット数値よりも大きいことを決定するステップ、をさらに含む。
【００１１】
選択的に、前記ターゲットインタフェースが表示されたことを検出した場合、予め記憶されたアプリケーションプログラムのインタフェースと輝度調整パラメータとの対応関係に基づいて、前記ターゲットインタフェースに対応する輝度調整パラメータを決定するステップは、
ターゲットインタフェースが表示されたことを検出した場合、現在のバックライト輝度を取得するステップと、
前記現在のバックライト輝度、及び予め記憶されたアプリケーションプログラムのインタフェース、バックライト輝度範囲と輝度調整パラメータとの対応関係に基づいて、前記ターゲットインタフェースに対応する輝度調整パラメータを決定するステップと、を含む。
【００１２】
このようにして、より正確的な輝度調整パラメータを取得することができる。
【００１３】
選択的に、前記方法は、
プリセット期間ごとにサーバーに輝度調整パラメータを取得するという要求を送信するステップと、
前記サーバから送信された前記アプリケーションプログラムのインタフェースに対応する輝度調整パラメータを受信するステップと、
受信されたアプリケーションプログラムのインタフェースに対応する輝度調整パラメータに基づいて、前記予め記憶されたアプリケーションプログラムのインタフェースと輝度調整パラメータとの対応関係を更新するステップ、をさらに含む。
【００１４】
このようにして、記憶された対応関係を直ちに更新することができる。
【００１５】
選択的に、前記輝度調整パラメータが調整輝度であり、
前記ターゲットインタフェースに対応する輝度調整パラメータに基づいて、現在のバックライト輝度を低下させるステップは、
前記現在のバックライト輝度から前記ターゲットインタフェースに対応する調整輝度を差し引いて、低下後のバックライト輝度を取得するステップ、を含む。
【００１６】
選択的に、前記輝度調整パラメータが調整割合であり、
前記ターゲットインタフェースに対応する輝度調整パラメータに基づいて、現在のバックライト輝度を低下させるステップは、
前記現在のバックライト輝度に前記ターゲットインタフェースに対応する調整割合を乗算して、低下後のバックライト輝度を取得するステップと、又は、
前記現在のバックライト輝度と前記ターゲットインタフェースに対応する調整割合を乗算した積を算出し、前記現在のバックライト輝度から前記積を差し引いて、低下後のバックライト輝度を取得するステップ、を含む。
【００１７】
本発明の実施例の第２の態様によれば、画面表示制御の装置を提供し、前記装置は、
ターゲットアプリケーションプログラムを使用するプロセスにおいて、ターゲットインタフェースが表示されたことを検出した場合、予め記憶されたアプリケーションプログラムのインタフェースと輝度調整パラメータとの対応関係に基づいて、前記ターゲットインタフェースに対応する輝度調整パラメータを決定するための決定モジュールと、
前記ターゲットインタフェースに対応する輝度調整パラメータに基づいて、現在のバックライト輝度を低下させるための調整モジュールと、を備える。
【００１８】
選択的に、前記決定モジュールは、
現在の環境光の輝度を取得し、
前記現在の環境光の輝度が予め設定された輝度の範囲内にあることを決定するためにさらに用いられる。
【００１９】
選択的に、前記決定モジュールは、
ターゲットインタフェースが表示されたことを検出した場合、現在の環境光の輝度を取得し、
前記現在の環境光の輝度、及び予め記憶されたアプリケーションプログラムのインタフェース、環境光の輝度範囲と輝度調整パラメータとの対応関係に基づいて、前記ターゲットインタフェースに対応する輝度調整パラメータを決定するために用いられる。
【００２０】
選択的に、前記決定モジュールは、
現在のバックライト輝度を取得し、
前記現在のバックライト輝度がプリセット数値よりも大きいことを決定するためにさらに用いられる。
【００２１】
選択的に、前記決定モジュールは、
ターゲットインタフェースが表示されたことを検出した場合、現在のバックライト輝度を取得し、
前記現在のバックライト輝度、及び予め記憶されたアプリケーションプログラムのインタフェース、バックライト輝度範囲と輝度調整パラメータとの対応関係に基づいて、前記ターゲットインタフェースに対応する輝度調整パラメータを決定するために用いられる。
【００２２】
選択的に、前記装置は、
プリセット期間ごとにサーバーに輝度調整パラメータを取得するという要求を送信するための送信モジュールと、
前記サーバから送信された前記アプリケーションプログラムのインタフェースに対応する輝度調整パラメータを受信するための受信モジュールと、
受信されたアプリケーションプログラムのインタフェースに対応する輝度調整パラメータに基づいて、前記予め記憶されたアプリケーションプログラムのインタフェースと輝度調整パラメータとの対応関係を更新するための更新モジュールと、をさらに備える。
【００２３】
選択的に、前記輝度調整パラメータが調整輝度であり
前記調整モジュールは、
前記現在のバックライト輝度から前記ターゲットインタフェースに対応する調整輝度を差し引いて、低下後のバックライト輝度を取得するために用いられる。
【００２４】
選択的に、前記輝度調整パラメータが調整割合であり、
前記調整モジュールは、
前記現在のバックライト輝度に前記ターゲットのインタフェースに対応する調整割合を乗算して、低下後のバックライト輝度を取得し、又は、
前記現在のバックライト輝度と前記ターゲットインタフェースに対応する調整割合を乗算した積を算出し、前記現在のバックライト輝度から前記積を差し引いて、低下後のバックライト輝度を取得するために用いられる。
【００２５】
本発明の実施例の第３の態様によれば、コンピュータ読み取り可能な記録媒体が提供され、前記コンピュータ読み取り可能な記録媒体において少なくとも１つの命令、少なくとも１つのプログラム、コードセットまたは命令セットが記憶され、前記少なくとも１つの命令、前記少なくとも１つのプログラム、前記コードセット又は命令セットがプロセッサによりロードされ実行されることで、上記の第１の態様に記載の前記画面表示制御的方法が実行される。
【００２６】
本発明の実施例の第４の態様によれば、画面表示制御の装置が提供され、前記装置は、プロセッサと、少なくとも１つの命令、少なくとも１つのプログラム、コードセットまたは命令セットを記憶するためのメモリを備え、前記少なくとも１つの命令、前記少なくとも１つのプログラム、前記コードセット又は命令セットが前記プロセッサによりロードされて実行されることで、上記の第１の態様に記載の前記画面表示制御の方法が実行される。
【発明の効果】
【００２７】
本発明の実施例に提供された技術案によれば、以下のような作用効果を含むことができる。
【００２８】
本発明の実施例において、ターゲットアプリケーションプログラムを使用するプロセスでは、ターゲットインタフェースが表示されたことを検出した場合、予め記憶されたアプリケーションプログラムのインタフェースと輝度調整パラメータとの対応関係に基づいて、前記ターゲットインタフェースに対応する輝度調整パラメータを決定し、前記ターゲットインタフェースに対応する輝度調整パラメータに基づいて、現在のバックライト輝度を低下させる。このように、あるアプリケーションプログラムに対して、インタフェースが表示されているとき、バックライト輝度を低下させることができ、さらに、バックライト光源の電流を低下させて、画面の消費量を低下させることができ、これにより、携帯電話の画面の消費量を低下させる方法が提供される。
【００２９】
上述した一般的な記述および後続の詳細な記述は、単に例示的および解釈的なものであり、本発明を制限するものでないことは、理解されるべきである。
【図面の簡単な説明】
【００３０】
ここでの図面は、明細書に組み入れて本明細書の一部分を構成し、本発明に適した実施例を例示し、且つ明細書とともに本発明の原理を解釈するために用いられる。
【図１】一例示的な実施例に係る画面表示制御の方法を示すフローチャートである。
【図２】一例示的な実施例に係る自動調整のオプションを示す模式図である。
【図３】一例示的な実施例に係る輝度調整パラメータを取得することを示す模式図である。
【図４】一例示的な実施例に係る画面表示制御の装置を示す構成模式図である。
【図５】一例示的な実施例に係る画面表示制御の装置を示す構成模式図である。
【図６】一例示的な実施例に係る端末を示す構成模式図である。
【００３１】
本発明の実施例は、以上の図面によって明確に図示されたが、後でより詳細に記述される。これらの図面及び文字記述は、いかなる方式によって本発明の構想の範囲を制限するためではなく、特定の実施例を参照することによって、当業者に本発明の概念を説明させるためである。
【発明を実施するための形態】
【００３２】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施例に記載の実施形態は、本発明と一致する全ての実施形態を代表するものではない。即ち、それらは、特許請求の範囲に記載の本発明のある側面に一致する装置及び方法の例に過ぎない。
【００３３】
本発明の実施例は、画面表示制御の方法を提供し、当該方法の実行主体が端末であってもよい。ここで、端末は、例えば、携帯電話などのユーザが使用するモバイル端末であってもよく、当該端末においてプロセッサ、メモリ、送受信機などが配置されでもよく、プロセッサは、画面表示制御のプロセスを処理するために使用され、メモリは、画面表示制御プロセスにおいて必要なデータおよび生成するデータを記憶するために使用され、送受信機は、データを受信するおよび送信するために使用される。端末には、画面などの入出力装置や光センサーなどをさらに設けられでもよく、画面はアプリケーションプログラムのインタフェースなどを表示するために使用され、光センサーは環境光の強度を検出するために使用される。本実施例では、端末が携帯電話である場合を例にして、形態の詳細な説明を行うが、その他の状況は携帯電話と同様であるので、その説明を省略する。
【００３４】
図１に示すように、当該方法の処理フローは下記のステップを含んでもよい、
ステップ１０１において、ターゲットアプリケーションプログラムを使用するプロセスでは、ターゲットインタフェースが表示されたことを検出した場合、予め記憶されたアプリケーションプログラムのインタフェースと輝度調整パラメータとの対応関係に基づいて、ターゲットインタフェースに対応する輝度調整パラメータを決定する。
【００３５】
ここで、ターゲットアプリケーションプログラムは、例えば、ソーシャルアプリケーションプログラム、ショッピングアプリケーションプログラムなどの、端末にインストールされたいずれのアプリケーションプログラムであり、ターゲットインタフェースは、ターゲットアプリケーションプログラムのいずれのインタフェースである。
【００３６】
実施において、端末は、ターゲットアプリケーションプログラムがオンされたことを検出した後に、ターゲットインタフェースの表示命令を検出した場合、端末は予め記憶されたアプリケーションプログラムのインタフェースと輝度調整パラメータとの対応関係を取得してもよく、当該対応関係において、アプリケーションプログラムのインタフェースに対応する輝度調整パラメータが記録され、１つのアプリケーションプログラムのいくつかのインタフェースが１つの輝度調整パラメータに対応されてもよく、１つのアプリケーションプログラムの異なるインタフェースが異なる輝度調整パラメータに対応されてもよく、端末は、当該対応関係から、ターゲットインタフェースに対応する輝度調整パラメータを探索することができる。例えば、ターゲットインタフェースがあるソーシャルアプリケーションプログラムのチャットインタフェースであって、ユーザがあるソーシャルアプリケーションプログラムを開いて親友とチャットしようとする場合は、当該親友のアカウントとのチャットインタフェースを操作して開いて、端末はチャットインタフェースの表示命令を検出した後に、チャットインタフェースに対応する輝度調整パラメータを決定することができる。
【００３７】
選択的に、アプリケーションプログラムのインタフェースと輝度調整パラメータとの対応関係がリストの形式で記憶されてもよく、表１に示すとおりである。
【００３８】
【表１】
2020507093.tif 000003
【００３９】
選択的に、環境光の輝度が一定の範囲内にある場合のみに、バックライト輝度を調整して調整を行い、対応するステップ１０１の処理は以下のとおりである。
【００４０】
ターゲットインタフェースが表示されたことを検出した場合、現在の環境光の輝度を取得し、現在の環境光の輝度が予め設定された輝度の範囲内にあることを決定し、予め記憶されたアプリケーションプログラムのインタフェースと輝度調整パラメータとの対応関係に基づいて、ターゲットインタフェースに対応する輝度調整パラメータを決定する。
【００４１】
ここで、５０ｌｕｘ〜５００ｌｕｘなどの予め設定された輝度範囲は、技術者により予め設定され、端末に保存されることができる。
【００４２】
実施において、ターゲットインタフェースが表示されたことを検出した場合、端末は、光センサーを使用して環境光の輝度を検出した後に、検出された環境光の輝度が予め設定された輝度範囲内にあるかを決定することができ、環境光の輝度が予め設定された輝度範囲内にある場合、端末は、予め記憶されたアプリケーションプログラムのインタフェースと輝度調整パラメータとの対応関係を取得することができ、当該対応関係において、アプリケーションプログラムのインタフェースに対応する輝度調整パラメータが記録され、１つのアプリケーションプログラムのいくつかのインタフェースが１つの輝度調整パラメータに対応されてもよく、１つのアプリケーションプログラムの異なるインタフェースが異なる輝度調整パラメータに対応されてもよく、端末は、当該対応関係から、ターゲットインタフェースに対応する輝度調整パラメータを探索することができる。
【００４３】
このように、環境光が比較的強い時、バックライト輝度が比較的高い場合のみ、ユーザは表示されたインタフェースをはっきりと見ることができるため、環境光の輝度があまり高くない場合のみに、バックライト輝度を調整する。このようにして、表示されたインタフェースをユーザにはっきり見せることができるだけでなく、画面の消費量も低下させることができる。
【００４４】
選択的に、現在のバックライト輝度が比較的大きい時のみに、バックライト輝度を調整し、対応するステップ１０１の処理は以下のとおりである。
【００４５】
ターゲットインタフェースが表示されたことを検出した場合、現在のバックライト輝度を取得し、現在のバックライト輝度がプリセット数値よりも大きいことを決定した場合、予め記憶されたアプリケーションプログラムのインタフェースと輝度調整パラメータとの対応関係に基づいて、ターゲットインタフェースに対応する輝度調整パラメータを決定する。
【００４６】
ここで、プリセット数値は、技術者により予め設定され、端末に保存されることができる。
【００４７】
実施において、ターゲットインタフェースが表示されたことを検出した場合、端末は、現在のバックライト光源の電流を決定した後に、バックライト光源の電流を用いて、現在のバックライト輝度である対応するバックライト輝度を決定することができる。その後、端末は現在のバックライト輝度がプリセット数値よりも大きいか否かを判断することができ、現在のバックライト輝度がプリセット数値よりも大きい場合、予め記憶されたアプリケーションプログラムのインタフェースと輝度調整パラメータとの対応関係を取得することができ、当該対応関係において、アプリケーションプログラムのインタフェースに対応する輝度調整パラメータが記録され、１つのアプリケーションプログラムのいくつかのインタフェースが１つの輝度調整パラメータに対応されてもよく、１つのアプリケーションプログラムの異なるインタフェースが異なる輝度調整パラメータに対応されてもよく、端末は、当該対応関係から、ターゲットインタフェースに対応する輝度調整パラメータを探索することができる。
【００４８】
選択的に、更にターゲットインタフェースに対応する輝度調整パラメータは、環境光の輝度に基づいて決定されてもよく、対応する処理は以下のとおりである。
【００４９】
ターゲットインタフェースが表示されたことを検出した場合、現在の環境光の輝度を取得し、現在の環境光の輝度、及び予め記憶されたアプリケーションプログラムのインタフェース、環境光の輝度範囲と輝度調整パラメータとの対応関係に基づいて、ターゲットインタフェースに対応する輝度調整パラメータを決定する。
【００５０】
ここで、アプリケーションプログラムのインタフェース、環境光の輝度の範囲と輝度調整パラメータとの対応関係は技術者により予め設定されてもよく、サーバーから取得されてもよい（取得プロセスの詳細は後述する）。
【００５１】
実施において、ターゲットインタフェースが表示されたことを検出した場合、端末は、光センサーを使用して環境光の輝度を検出した後に、予め記憶されたアプリケーションプログラムのインタフェース、環境光の輝度範囲と輝度調整パラメータとの対応関係を取得することができ、その後、当該対応関係から、環境光の輝度が属する環境光の輝度の範囲を決定した後に、ターゲットインタフェースと環境光の輝度が属する環境光の輝度の範囲を用いて、当該対応関係から、ターゲットインタフェースに対応する輝度調整パラメータを探索することができる。
【００５２】
選択的に、ターゲットインタフェースに対応する輝度調整パラメータは、現在のバックライト輝度に基づいて決定されてもよく、対応する処理は以下のとおりである。
【００５３】
ターゲットインタフェースが表示されたことを検出した場合、現在のバックライト輝度を取得し、現在のバックライト輝度、及び予め記憶されたアプリケーションプログラムのインタフェース、バックライト輝度範囲と輝度調整パラメータとの対応関係に基づいて、ターゲットインタフェースに対応する輝度調整パラメータを決定する。
【００５４】
ここで、アプリケーションプログラムのインタフェース、バックライト輝度の範囲と輝度調整パラメータとの対応関係は技術者により予め設定されてもよく、サーバーから取得されてもよい（取得プロセスの詳細は後述する）。
【００５５】
実施において、ターゲットインタフェースが表示されたことを検出した場合、端末は、現在のバックライト光源の電流を決定した後に、バックライト光源の電流を用いて、現在のバックライト輝度である対応するバックライト輝度を決定することができる。その後、予め記憶されたアプリケーションプログラムのインタフェース、バックライト輝度の範囲と輝度調整パラメータとの対応関係を取得した後に、当該対応関係から、現在のバックライト輝度が属するバックライト輝度の範囲を決定し、その後、ターゲットインタフェースと現在のバックライト輝度が属するバックライト輝度の範囲を使用して、当該対応関係から、ターゲットインタフェースに対応する輝度調整パラメータを探索する。
【００５６】
ステップ１０２において、ターゲットインタフェースに対応する輝度調整パラメータに基づいて、現在のバックライト輝度を低下させる。
【００５７】
実施において、端末は、ターゲットインタフェースに対応する輝度調整パラメータを決定した後、端末は現在のバックライト光源（即ちバックライトのランプ）の電流を決定し、その後、バックライト光源の電流を使用して、現在のバックライト輝度である対応するバックライト輝度を決定し、その後、ターゲットインタフェースに対応する輝度調整パラメータを使用して、現在のバックライト輝度を低下させることができるが、低下後の後に、対応するバックライト光源の電流も低下され、これにより、端末の消費量を低下させることができる。
【００５８】
選択的に、輝度調整パラメータが調整輝度であっでもよく、対応するステップ１０２の処理は以下のとおりである。
【００５９】
現在のバックライト輝度からターゲットインタフェースに対応する調整輝度を差し引いて、低下後のバックライト輝度を取得する。
【００６０】
ここで、輝度調整パラメータが１０ｌｕｘなどの調整輝度であっでもよい。
【００６１】
実施において、端末は、ターゲットインタフェースに対応する調整輝度を決定した後に、現在のバックライト光源の電流を決定し、その後、バックライト光源の電流を用いて、現在のバックライト輝度である対応するバックライト輝度を決定することができる。現在のバックライト輝度から調整輝度を差し引いて、低下後のバックライト輝度を取得する。その後、当該バックライト輝度を使用して、対応する電流を決定し、バックライト光源に当該電流を加える。このようにして、バックライト輝度は、低下後の後のバックライト輝度であり、バックライト輝度を低下させることができる。例えば、現在のバックライト輝度が１００ｌｕｘであり、調整輝度が１０ｌｕｘであり、低下後の後のバックライト輝度が９０ｌｕｘである。
【００６２】
選択的に、輝度調整パラメータが調整割合であっでもよく、対応するステップ１０２の処理は以下のとおりである。
【００６３】
現在のバックライト輝度に対してターゲットインタフェースに対応する調整割合を乗算して、低下後のバックライト輝度を取得する、又は、現在のバックライト輝度とターゲットインタフェースに対応する調整割合を乗算した積を計算し、現在のバックライト輝度から積を差し引いて、低下後のバックライト輝度を取得する。
【００６４】
ここで、輝度調整パラメータが１０％などの調整割合であっでもよい。
【００６５】
実施において、端末は、ターゲットインタフェースに対応する調整割合を決定した後に、現在のバックライト光源の電流を決定し、その後、バックライト光源の電流を用いて、現在のバックライト輝度である対応するバックライト輝度を決定することができる。現在のバックライト輝度に対して調整割合低下し、すなわち、現在のバックライト輝度とターゲットインタフェースに対応する調整割合を乗算した積を計算し、その後、現在のバックライト輝度から計算された積を差し引いて、低下後のバックライト輝度を取得し、或いは、現在のバックライト輝度に基づいて、ターゲットインタフェースに対応する調整割合を乗算して、低下後のバックライト輝度を取得する。その後、当該バックライト輝度を使用して、対応する電流を決定し、バックライト光源に当該電流を加え、このようにして、バックライト輝度は、低下後のバックライト輝度であり、バックライト輝度を低下させることができる。例えば、現在のバックライト輝度が１００ｌｕｘであり、調整割合が１０％である場合、低下後のバックライト輝度が１００ｌｕｘ＊（１−１０）％、即ち９０ｌｕｘである。又は、現在のバックライト輝度が１００ｌｕｘであり、調整割合が９０％である場合、調整後のバックライト輝度が１００ｌｕｘ＊９０％、即ち９０ｌｕｘである。
【００６６】
選択的に、本発明の実施例では、端末はアプリケーションプログラムのインタフェースと輝度調整パラメータとの対応関係を記憶する処理フローが提供され、対応する処理は以下のとおりである。
【００６７】
プリセット期間ごとにサーバーに輝度調整パラメータを取得する要求を送信し、サーバーから送信されたアプリケーションプログラムのインタフェースに対応する輝度調整パラメータを受信し、受信されたアプリケーションプログラムのインタフェースに対応する輝度調整パラメータに基づいて、予め記憶されたアプリケーションプログラムのインタフェースと輝度調整パラメータとの対応関係を更新する。
【００６８】
ここで、一週などのプリセット期間は、技術者により予め設定され、端末に記憶されることができる。サーバーはシステムプログラムのバックグラウンドサーバーであっでもよいし、クラウド端などであっでもよい。
【００６９】
実施において、図２に示すように、端末の設定オプションにおいて自動調整のオプションが設定され、ユーザは操作して自動調整のオプションをオンにさせて、端末は、バックライト輝度の自動調整の機能がオンになっていることを決定することができる。図３に示すように、その後、プリセット期間ごとにサーバーに輝度調整パラメータを取得する要求を送信する。サーバーは、当該要求を受信した後に、サーバーは、現在記憶されたすべてのアプリケーションプログラムのインタフェースに対応する輝度調整パラメータを取得した後に、端末にアプリケーションプログラムのインタフェースに対応する輝度調整パラメータを送信する。端末は、サーバーから送信されたアプリケーションプログラムのインタフェースに対応する輝度調整パラメータを受信した後に、端末により予め記憶されたアプリケーションプログラムのインタフェースと輝度調整パラメータとの間の対応関係において、輝度調整パラメータは受信された輝度調整パラメータと異なる場合、端末は、受信された輝度調整パラメータで予め記憶されたアプリケーションプログラムのインタフェースと輝度調整パラメータとの対応関係を更新することができ、端末により予め記憶されたアプリケーションプログラムのインタフェースと輝度調整パラメータとの対応関係において、輝度調整パラメータと受信されたものと同じである場合、更新が実行されない。
【００７０】
なお、上記の端末は、それ自体にインストールされたすべてのアプリケーションプログラムの識別子を決定し、それ自体にインストールされたアプリケーションプログラムの識別子を取得要求に追加することができ、サーバーは、取得要求を受信した後に、当該取得要求に含まれるアプリケーションプログラムの識別子に対応するインタフェースの輝度調整パラメータのみを取得し、これらのアプリケーションプログラムのインタフェースに対応する輝度調整パラメータを端末に送信することができ、このようにして、伝送リソースを節約することができる。
【００７１】
本発明の実施例において、輝度調整パラメータを設定するための規則も提供される。
【００７２】
１枚の画像に対して、既存のコントラスト比の式はＣ＝（Ｌｂｒｉｇｈｔｎｅｓｓ＋Ｒ）／（Ｌｄａｒｋｎｅｓｓ＋Ｒ）であり、ここで、Ｒは画面の反射輝度であって、一つの端末に対して固定値であり、Ｌｂｒｉｇｈｔｎｅｓｓは画像の最も明るい内容の輝度であり、Ｌｄａｒｋｎｅｓｓは画像の最も暗い内容の輝度である。１枚の画像のコントラスト比が比較的高く、Ｌｂｒｉｇｈｔｎｅｓｓが２００であり、Ｌｄａｒｋｎｅｓｓが１０であり、Ｒが１０である場合、コントラスト比はＣ１＝（２００＋１０）／（１０＋１０）＝１０．５である。バックライト輝度が１０％低下され、Ｌｂｒｉｇｈｔｎｅｓｓが１８０になり、Ｌｄａｒｋｎｅｓｓが９になる場合、コントラスト比はＣ２＝（１８０＋１０）／（９＋１０）＝１０であり、コントラスト比は依然として比較的高く、ユーザは内容を相変わらずにはっきり見ることができる。
【００７３】
１枚の画像のコントラスト比が比較的低く、Ｌｂｒｉｇｈｔｎｅｓｓが２００であり、Ｌｄａｒｋｎｅｓｓが１９０であり、Ｒが１０である場合、コントラスト比はＣ１＝（２００＋１０）／（１９０＋１０）＝１．０５である。バックライト輝度が１０％低下され、Ｌｂｒｉｇｈｔｎｅｓｓが１８０になり、Ｌｄａｒｋｎｅｓｓが１７１になる場合、コントラスト比はＣ２＝（１８０＋１０）／（１７１＋１０）＝１．０４９になり、コントラスト比が更に小さくなり、内容がはっきり見えない可能性がある。
【００７４】
上記の結論に基づいて、コントラストが高い内容に対して、バックライト輝度を低下させることによって、消費量を低下させることが可能である。
【００７５】
したがって、技術者は、アプリケーションプログラムのインタフェースと輝度調整パラメータとの対応関係を設定する際に、一般的には、コントラスト比が比較的高いインタフェースに対して、バックライト輝度を低下させ、コントラスト比が比較的低い内容に対しては、バックライト輝度の処理を行わない、又は、バックライト輝度の低下を少なくすることができる。比較的高いコントラスト比を有するインタフェースは、一般的に、チャットウィンドウ、ワードドキュメント、および電子メールのインタフェースなどを含む。比較的低いコントラスト比を有するインタフェースは、ショッピングアプリケーションプログラムにおける商品リストインタフェースなどを含む。
【００７６】
選択的に、本発明の実施例において、端末はアプリケーションプログラムのインタフェース、環境光の輝度範囲と輝度調整パラメータとの対応関係を記憶する処理プロセスがさらに提供され、対応する処理は以下のとおりである。
【００７７】
プリセット期間ごとにサーバーに輝度調整パラメータを取得する要求を送信し、サーバーから送信されたアプリケーションプログラムのインタフェース、環境光の輝度範囲と輝度調整パラメータとの対応関係を受信し、受信された対応関係を使用して、予め記憶されたアプリケーションプログラムのインタフェース、環境光の輝度範囲と輝度調整パラメータとの対応関係を置き換える。
【００７８】
実施において、端末は、プリセット期間ごとにサーバーに輝度調整パラメータを取得する要求を送信する。サーバーは、当該要求を受信した後、サーバーは、現在記憶された全てのアプリケーションプログラムのインタフェース、環境光の輝度範囲と輝度調整パラメータの対応関係を取得した後に、取得された対応関係を端末に送信する。端末は、サーバーから送信された対応関係を受信した後に、端末は受信された対応関係を記憶し、その後、予め記憶されたアプリケーションプログラムのインタフェース、環境光の輝度範囲と輝度調整パラメータとの対応関係を削除することができる。
【００７９】
選択的に、本発明の実施例において、端末はアプリケーションプログラムのインタフェース、バックライト輝度の輝度範囲と輝度調整パラメータとの対応関係を記憶する処理プロセスがさらに提供され、対応する処理は以下のとおりである。
【００８０】
プリセット期間ごとにサーバーに輝度調整パラメータを取得する要求を送信し、サーバーから送信されたアプリケーションプログラムのインタフェース、バックライト輝度範囲と輝度調整パラメータとの対応関係を受信し、受信された対応関係を使用して、予め記憶されたアプリケーションプログラムのインタフェース、バックライト輝度範囲と輝度調整パラメータとの対応関係を置き換える。
【００８１】
実施において、端末は、プリセット期間ごとにサーバーに輝度調整パラメータを取得する要求を送信する。サーバーは、当該要求を受信した後、サーバーは、現在記憶された全てのアプリケーションプログラムのインタフェース、バックライト輝度範囲と輝度調整パラメータの対応関係を取得した後に、取得された対応関係を端末に送信する。端末は、サーバーから送信された対応関係を受信した後に、端末は、受信された対応関係を記憶し、その後、予め記憶されたアプリケーションプログラムのインタフェース、バックライト輝度範囲と輝度調整パラメータとの対応関係を削除することができる。
【００８２】
本発明の実施例において、ターゲットアプリケーションプログラムを使用するプロセスでは、ターゲットインタフェースが表示されたことを検出した場合、予め記憶されたアプリケーションプログラムのインタフェースと輝度調整パラメータとの対応関係に基づいて、前記ターゲットインタフェースに対応する輝度調整パラメータを決定し、前記ターゲットインタフェースに対応する輝度調整パラメータに基づいて、現在のバックライト輝度を低下させる。このようにして、あるアプリケーションプログラムに対して、インタフェースが表示されているとき、バックライト輝度を低下させることができ、さらに、バックライト光源の電流が低下されて、画面の消費量を低下させることができ、これにより、携帯電話の画面の消費量を低下させる方法が提供される。
【００８３】
本発明のその他の一例示的な実施例は、画面表示制御の装置をさらに提供し、図４に示すように、当該装置は、
ターゲットアプリケーションプログラムを使用するプロセスにおいて、ターゲットインタフェースが表示されたことを検出した場合、予め記憶されたアプリケーションプログラムのインタフェースと輝度調整パラメータとの対応関係に基づいて、前記ターゲットインタフェースに対応する輝度調整パラメータを決定するための決定モジュール４１０と、
前記ターゲットインタフェースに対応する輝度調整パラメータに基づいて、現在のバックライト輝度を低下させるための調整モジュール４２０と、を備える。
【００８４】
選択的に、前記決定モジュール４１０は、
現在の環境光の輝度を取得し、
前記現在の環境光の輝度が予め設定された輝度の範囲内にあることを決定するためにさらに用いられる。
【００８５】
選択的に、前記決定モジュール４１０は、
ターゲットインタフェースが表示されたことを検出した場合、現在の環境光の輝度を取得し、
前記現在の環境光の輝度、及び予め記憶されたアプリケーションプログラムのインタフェース、環境光の輝度範囲と輝度調整パラメータとの対応関係に基づいて、前記ターゲットインタフェースに対応する輝度調整パラメータを決定するために用いられる。
【００８６】
選択的に、前記決定モジュール４１０は、
現在のバックライト輝度を取得し、
前記現在のバックライト輝度が予め設定された値よりも大きいことを決定するためにさらに用いられる。
【００８７】
選択的に、前記決定モジュール４１０は、
ターゲットインタフェースが表示されたことを検出した場合、現在のバックライト輝度を取得し、
前記現在のバックライト輝度、及び予め記憶されたアプリケーションプログラムのインタフェース、バックライト輝度範囲と輝度調整パラメータとの対応関係に基づいて、前記ターゲットインタフェースに対応する輝度調整パラメータを決定するために用いられる。
【００８８】
選択的に、図５に示すように、前記装置は、
プリセット期間ごとにサーバーに輝度調整パラメータを取得する要求を送信するための送信モジュール４３０と、
前記サーバーから送信された前記アプリケーションプログラムのインタフェースに対応する輝度調整パラメータを受信するための受信モジュール４４０と、
受信されたアプリケーションプログラムのインタフェースに対応する輝度調整パラメータに基づいて、前記予め記憶されたアプリケーションプログラムのインタフェースと輝度調整パラメータとの対応関係を更新するための更新モジュール４５０と、をさらに備える。
【００８９】
選択的に、前記輝度調整パラメータが調整輝度であり、
前記調整モジュール４２０は、
前記現在のバックライト輝度から前記ターゲットインタフェースに対応する調整輝度を差し引いて、低下後のバックライト輝度を取得するために用いられる。
【００９０】
選択的に、前記輝度調整パラメータが調整割合であり、
前記調整モジュール４２０は、
前記現在のバックライト輝度に前記ターゲットインタフェースに対応する調整割合を乗算して、低下後のバックライト輝度を取得する、又は、
前記現在のバックライト輝度と前記ターゲットインタフェースに対応する調整割合を乗算した積を算出し、前記現在のバックライト輝度から前記積を差し引いて、低下後のバックライト輝度を取得するために用いられる。
【００９１】
本発明の実施例において、ターゲットアプリケーションプログラムを使用するプロセスでは、ターゲットインタフェースが表示されたことを検出した場合、予め記憶されたアプリケーションプログラムのインタフェースと輝度調整パラメータとの対応関係に基づいて、前記ターゲットインタフェースに対応する輝度調整パラメータを決定し、前記ターゲットインタフェースに対応する輝度調整パラメータに基づいて、現在のバックライト輝度を低下させる。こうして、あるアプリケーションプログラムに対して、インタフェースが表示されているとき、バックライト輝度を低下させることができ、さらに、バックライト光源の電流が低下されて、画面の消費量が低下させることができ、これにより、携帯電話の画面の消費量を低下させる方法が提供される。
【００９２】
なお、上記実施例に提供された画面表示制御の装置は、画面表示の制御を実現するとき、上記各機能モジュールの区分のみを例として説明したが、実際の応用においては、実際の需要によって上記機能の分配は異なる機能モジュールにより完成されてもよい。即ち、画面表示制御の装置の内部構造を異なる機能モジュールに区分することによって、以上に記載の全部又は一部の機能を完成してもよい。また、上記実施例に提供された画面表示制御の装置と画面表示制御の方法の実施例は同じ構想に属し、その具体的な実行プロセスは、すでに関連方法の実施例で詳しく説明しており、ここでは詳細な説明を省略する。
【００９３】
本発明の一例示的な実施例は、端末の構成模式図を提供する。当該端末は、携帯電話などであってもよい。
【００９４】
図６を参照すると、端末６００は、処理ユニット６０２、メモリ６０４、電源ユニット６０６、マルチメディアユニット６０８、オーディオユニット６１０、入力／出力（Ｉ／Ｏ）インタフェース６１２、センサーユニット６１４、及び通信ユニット６１６から選ばれる少なくとも１つを備えてもよい。
【００９５】
処理ユニット６０２は、一般的には、端末６００の全体の操作、例えば、表示、電話呼び出し、データ通信、カメラ操作及び記録操作に関連する操作を制御する。処理ユニット６０２は、上述した方法におけるステップの一部又は全部を実現できるように、命令を実行する少なくとも１つのプロセッサ６２０を備えてもよい。また、処理ユニット６０２は、他のユニットとのインタラクションを便利にさせるように、少なくとも１つのモジュールを備えてもよい。例えば、処理ユニット６０２は、マルチメディアユニット６０８とのインタラクションを便利にさせるように、マルチメディアモジュールを備えてもよい。
【００９６】
メモリ６０４は、端末６００での操作をサポートするように、各種のデータを記憶するように配置される。これらのデータは、例えば、端末６００で何れのアプリケーション又は方法を操作するための命令、連絡先データ、電話帳データ、メッセージ、画像、ビデオ等を含む。メモリ６０４は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｏｒｙ）、磁気メモリ、フラッシュメモリ、磁気ディスク、或いは光ディスクにより、或いはそれらの組み合わせにより実現することができる。
【００９７】
電源ユニット６０６は、端末６００の各種ユニットに電力を供給するためのものであり、電源管理システム、１つ又は複数の電源、及び端末６００のために電力を生成、管理及び分配することに関連する他のユニットを備えてもよい。
【００９８】
マルチメディアユニット６０８は、装置６００とユーザとの間に出力インタフェースを提供するスクリーンを備えてもよい。一実施例では、スクリーンは液晶ディスプレイ（ＬＣＤ）やタッチパネル（ＴＰ）を備えてもよい。スクリーンは、タッチパネルを備える場合、ユーザからの入力信号を受信するように、タッチスクリーンになることができる。また、タッチパネルは、タッチや、スライドや、タッチパネル上の手振りを感知するように、少なくとも１つのタッチセンサーを有する。前記タッチセンサーは、タッチやスライド動作の境界を感知できるだけではなく、前記タッチやスライド操作と関連する持続時間や圧力も感知できる。一実施例では、マルチメディアユニット６０８は、フロントカメラ及び／又はバックカメラを有してもよい。装置６００が、例えば、撮影モードやビデオモードのような操作モードにある時、フロントカメラ及び／又はバックカメラが外部のマルチメディアデータを受信できる。フロントカメラ及びバックカメラのそれぞれは、固定的の光学レンズ系であってもよいし、焦点距離及び光学ズーム能力を有するものであってもよい。
【００９９】
オーディオユニット６１０は、オーディオ信号を出力及び／又は入力するように配置される。例えば、オーディオユニット６１０は、マイクロフォン（ＭｉＣ）を有してもよい。端末６００が、例えば、呼び出しモード、記録モード、又は音声認識モードのような操作モードにあるとき、マイクロフォンは、外部のオーディオ信号を受信するように配置される。受信したオーディオ信号は、メモリ６０４にさらに記憶されてもよいし、通信ユニット６１６を介して送信されてもよい。
【０１００】
Ｉ／Ｏインタフェース６１２は、処理ユニット６０２と外部のインタフェースモジュールとの間にインタフェースを提供するためのものである。上記外部のインタフェースモジュールは、キーボードや、クリックホイールや、ボタン等であってもよい。これらのボタンは、ホームボタンや、音量ボタンや、スタートボタンや、ロックボタンであってもよいが、それらに限らない。
【０１０１】
センサーユニット６１４は、装置６００のために各方面の状態を評価する少なくとも１つのセンサーを備えてもよい。例えば、センサーユニット６１４は、端末６００のオン／オフ状態や、ユニットの相対的な位置を検出することができる。例えば、前記ユニットは、端末６００のディスプレイ及びキーパッドである。センサーユニット６１４は、端末６００又は端末６００の１つのユニットの位置の変化、ユーザによる端末６００への接触の有無、端末６００の方向又は加速／減速、端末６００の温度変化などを検出することができる。センサーユニット６１４は、何れの物理的な接触もない場合に付近の物体を検出するように配置される近接センサーを有してもよい。センサーユニット６１４は、イメージングアプリケーションに用いるための光センサー、例えば、ＣＭＯＳ又はＣＣＤ画像センサーを有してもよい。一実施例では、当該センサーユニット６１４は、加速度センサー、ジャイロスコープセンサー、磁気センサー、圧力センサー又は温度センサーをさらに備えてもよい。
【０１０２】
通信ユニット６１６は、端末６００と他の設備の間との無線又は有線通信を便利にさせるように配置される。端末６００は、通信規格に基づく無線ネットワーク、例えば、ＷｉＦｉ、２Ｇ又は３Ｇ、又はそれらの組み合わせにアクセスできる。１つの例示的な実施例では、通信ユニット６１６は、ブロードキャストチャンネルを介して外部のブロードキャスト管理システムからのブロードキャスト信号又はブロードキャストに関する情報を受信する。１つの例示的な実施例では、前記通信ユニット６１６は、近距離通信を促進するために近距離無線通信（ＮＦＣ）モジュールをさらに備えてもよい。例えば、ＮＦＣモジュールは、無線周波数認識装置（ＲＦＩＤ：Ｒａｄｉｏ  Ｆｒｅｑｕｅｎｃｙ  ＩＤｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（登録商標）（ＢＴ：Ｂｌｕｅｔｏｏｔｈ（登録商標））技術及び他の技術によって実現されてもよい。
【０１０３】
例示的な実施例では、装置６００は、上述した方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサ（ＤＳＰ：Ｄｉｇｉｔａｌ  Ｓｉｇｎａｌ  Ｐｒｏｃｅｓｓｏｒ）、デジタル信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラマブルロジックデバイス（ＰＬＤ：Ｐｒｏｇｒａｍｍａｂｌｅ  Ｌｏｇｉｃ  Ｄｅｖｉｃｅ）、フィールドプログラマブルゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、又は他の電子機器によって実現されてもよい。
【０１０４】
例示的な実施例では、命令を有する非一時的コンピュータ読み取り可能な記録媒体、例えば、命令を有するメモリ６０４をさらに提供する。前記命令は、端末６００のプロセッサ６２０により実行されて上述した方法を実現する。例えば、前記非一時的コンピュータ読み取り可能な記録媒体は、ＲＯＭ、ＲＡＭ、ＣＤ−ＲＯＭ、磁気テープ、フロッピーディスク及び光データメモリ等であってもよい。
【０１０５】
非一時的コンピュータ可読記録媒体は、前記記録媒体における命令が端末のプロセッサにより実行されると、端末が上述した方法を実行するようにする。前記方法は、
ターゲットアプリケーションプログラムを使用するプロセスでは、ターゲットインタフェースが表示されたことを検出した場合、予め記憶されたアプリケーションプログラムのインタフェースと輝度調整パラメータとの対応関係に基づいて、前記ターゲットインタフェースに対応する輝度調整パラメータを決定するステップと、
前記ターゲットインタフェースに対応する輝度調整パラメータに基づいて、現在のバックライト輝度を低下させるステップと、を含む。
【０１０６】
選択的に、前記予め記憶されたアプリケーションプログラムのインタフェースと輝度調整パラメータとの対応関係に基づいて、前記ターゲットインタフェースに対応する輝度調整パラメータを決定するステップ前に、前記方法は
現在の環境光の輝度を取得するステップと、
前記現在の環境光の輝度が予め設定された輝度の範囲内にあることを決定するステップと、をさらに含む。
【０１０７】
選択的に、前記ターゲットインタフェースが表示されたことを検出した場合、予め記憶されたアプリケーションプログラムのインタフェースと輝度調整パラメータとの対応関係に基づいて、前記ターゲットインタフェースに対応する輝度調整パラメータを決定するステップは、
ターゲットインタフェースが表示されたことを検出した場合、現在の環境光の輝度を取得するステップと、
前記現在の環境光の輝度、及び予め記憶されたアプリケーションプログラムのインタフェース、環境光の輝度範囲と輝度調整パラメータとの対応関係に基づいて、前記ターゲットインタフェースに対応する輝度調整パラメータを決定するステップと、を含む。
【０１０８】
選択的に、前記予め記憶されたアプリケーションプログラムのインタフェースと輝度調整パラメータとの対応関係に基づいて、前記ターゲットインタフェースに対応する輝度調整パラメータを決定するステップ前に、前記方法は、
現在のバックライト輝度を取得するステップと、
前記現在のバックライト輝度がプリセット数値よりも大きいことを決定するステップと、をさらに含む。
【０１０９】
選択的に、前記ターゲットインタフェースが表示されたことを検出した場合、予め記憶されたアプリケーションプログラムのインタフェースと輝度調整パラメータとの対応関係に基づいて、前記ターゲットインタフェースに対応する輝度調整パラメータを決定するステップは、
ターゲットインタフェースが表示されたことを検出した場合、現在のバックライト輝度を取得するステップと、
前記現在のバックライト輝度、及び予め記憶されたアプリケーションプログラムのインタフェース、バックライト輝度範囲と輝度調整パラメータとの対応関係に基づいて、前記ターゲットインタフェースに対応する輝度調整パラメータを決定するステップと、を含む。
【０１１０】
選択的に、前記方法は、
プリセット期間ごとにサーバーに輝度調整パラメータを取得するという要求を送信するステップと、
前記サーバーから送信された前記アプリケーションプログラムのインタフェースに対応する輝度調整パラメータを受信するステップと、
受信されたアプリケーションプログラムのインタフェースに対応する輝度調整パラメータに基づいて、前記予め記憶されたアプリケーションプログラムのインタフェースと輝度調整パラメータとの対応関係を更新するステップと、をさらに含む。
【０１１１】
選択的に、前記輝度調整パラメータが調整輝度であり、
前記ターゲットインタフェースに対応する輝度調整パラメータに基づいて、現在のバックライト輝度を低下させるステップは、
前記現在のバックライト輝度から前記ターゲットインタフェースに対応する調整輝度を差し引いて、低減されたバックライト輝度を取得するステップ、を含む。
【０１１２】
選択的に、前記輝度調整パラメータが調整割合であり、
前記ターゲットインタフェースに対応する輝度調整パラメータに基づいて、現在のバックライト輝度を低下させるステップは、
前記現在のバックライト輝度に前記ターゲットのインタフェースに対応する調整割合を乗算して、低下後のバックライト輝度を取得するステップと、又は、
前記現在のバックライト輝度と前記ターゲットインタフェースに対応する調整割合を乗算した積を算出し、前記現在のバックライト輝度から前記積を差し引いて、低下後のバックライト輝度を取得するステップ、を含む。
【０１１３】
本発明の実施例において、ターゲットアプリケーションプログラムを使用するプロセスでは、ターゲットインタフェースが表示されたことを検出した場合、予め記憶されたアプリケーションプログラムのインタフェースと輝度調整パラメータとの対応関係に基づいて、前記ターゲットインタフェースに対応する輝度調整パラメータを決定し、前記ターゲットインタフェースに対応する輝度調整パラメータに基づいて、現在のバックライト輝度を低下させる。このようにして、あるアプリケーションプログラムに対して、インタフェースが表示されているとき、バックライト輝度を低下させることができ、さらに、バックライト光源の電流を低下させて、画面の消費量を低下させることができ、これにより、携帯電話の画面の消費量を低下させる方法が提供される。
【０１１４】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲によって示される。
【０１１５】
本発明は、上記で記述され、図面で図示した特定の構成に限定されず、その範囲を離脱しない状況で、様々な修正や変更を実施してもよい。本発明の範囲は、添付される特許請求の範囲のみにより限定される。
【図１】
2020507093.tif 000004
【図２】
2020507093.tif 000005
【図３】
2020507093.tif 000006
【図４】
2020507093.tif 000007
【図５】
2020507093.tif 000008
【図６】
2020507093.tif 000009
【手続補正書】
【提出日】平成30年6月8日(2018.6.8)
【手続補正２】
【補正対象書類名】明細書
【補正対象項目名】０００２
【補正方法】変更
【補正の内容】
【０００２】
本発明は、コンピュータの技術分野に関し、特に画面表示制御の方法、装置、プログラム及び記録媒体に関する。
【手続補正３】
【補正対象書類名】明細書
【補正対象項目名】０００５
【補正方法】変更
【補正の内容】
【０００５】
本発明は、従来技術に存在する問題を解決するために、画面表示制御の方法、装置、プログラム及び記録媒体を提供する。
【手続補正４】
【補正対象書類名】明細書
【補正対象項目名】００２６
【補正方法】変更
【補正の内容】
【００２６】
本発明の実施例の第４の態様によれば、画面表示制御の装置が提供され、前記装置は、プロセッサと、少なくとも１つの命令、少なくとも１つのプログラム、コードセットまたは命令セットを記憶するためのメモリを備え、前記少なくとも１つの命令、前記少なくとも１つのプログラム、前記コードセット又は命令セットが前記プロセッサによりロードされて実行されることで、上記の第１の態様に記載の前記画面表示制御の方法が実行される。
本発明の実施例の第５の態様によれば、プログラムが提供され、前記プログラムは、プロセッサに実行されることにより、上記の画面表示制御の方法を実現することを特徴とする。
【手続補正５】
【補正対象書類名】特許請求の範囲
【補正対象項目名】全文
【補正方法】変更
【補正の内容】
【特許請求の範囲】
【請求項１】
ターゲットアプリケーションプログラムを使用するプロセスにおいて、ターゲットインタフェースが表示されたことを検出した場合、予め記憶されたアプリケーションプログラムのインタフェースと輝度調整パラメータとの対応関係に基づいて、前記ターゲットインタフェースに対応する輝度調整パラメータを決定するステップと、
前記ターゲットインタフェースに対応する輝度調整パラメータに基づいて、現在のバックライト輝度を低下させるステップと、を含む
ことを特徴とする画面表示制御の方法。
【請求項２】
前記予め記憶されたアプリケーションプログラムのインタフェースと輝度調整パラメータとの対応関係に基づいて、前記ターゲットインタフェースに対応する輝度調整パラメータを決定するステップの前に、
現在の環境光の輝度を取得するステップと、
前記現在の環境光の輝度が予め設定された輝度の範囲内にあることを決定するステップと、をさらに含む
ことを特徴とする請求項１に記載の方法。
【請求項３】
前記ターゲットインタフェースが表示されたことを検出した場合、予め記憶されたアプリケーションプログラムのインタフェースと輝度調整パラメータとの対応関係に基づいて、前記ターゲットインタフェースに対応する輝度調整パラメータを決定するステップは、
ターゲットインタフェースが表示されたことを検出した場合、現在の環境光の輝度を取得するステップと、
前記現在の環境光の輝度、及び予め記憶されたアプリケーションプログラムのインタフェース、環境光の輝度範囲と輝度調整パラメータとの対応関係に基づいて、前記ターゲットインタフェースに対応する輝度調整パラメータを決定するステップと、を含む
ことを特徴とする請求項１に記載の方法。
【請求項４】
前記予め記憶されたアプリケーションプログラムのインタフェースと輝度調整パラメータとの対応関係に基づいて、前記ターゲットインタフェースに対応する輝度調整パラメータを決定するステップの前に、
現在のバックライト輝度を取得するステップと、
前記現在のバックライト輝度がプリセット数値よりも大きいことを決定するステップと、をさらに含む
ことを特徴とする請求項１に記載の方法。
【請求項５】
前記ターゲットインタフェースが表示されたことを検出した場合、予め記憶されたアプリケーションプログラムのインタフェースと輝度調整パラメータとの対応関係に基づいて、前記ターゲットインタフェースに対応する輝度調整パラメータを決定するステップは、
ターゲットインタフェースが表示されたことを検出した場合、現在のバックライト輝度を取得するステップと、
前記現在のバックライト輝度、及び予め記憶されたアプリケーションプログラムのインタフェース、バックライト輝度範囲と輝度調整パラメータとの対応関係に基づいて、前記ターゲットインタフェースに対応する輝度調整パラメータを決定するステップと、を含む
ことを特徴とする請求項１に記載の方法。
【請求項６】
プリセット期間ごとにサーバーに輝度調整パラメータを取得する要求を送信するステップと、
前記サーバーから送信された前記プリケーションプログラムのインタフェースに対応する輝度調整パラメータを受信するステップと、
受信されたアプリケーションプログラムのインタフェースに対応する輝度調整パラメータに基づいて、前記予め記憶されたアプリケーションプログラムのインタフェースと輝度調整パラメータとの対応関係を更新するステップと、をさらに含む
ことを特徴とする請求項１に記載の方法。
【請求項７】
前記輝度調整パラメータが調整輝度であり、
前記ターゲットインタフェースに対応する輝度調整パラメータに基づいて、現在のバックライト輝度を低下させるステップは、
前記現在のバックライト輝度から前記ターゲットインタフェースに対応する調整輝度を差し引いて、低下後のバックライト輝度を取得するステップ、を含む
ことを特徴とする請求項１〜６のいずれか１項に記載の方法。
【請求項８】
前記輝度調整パラメータが調整割合であり、
前記ターゲットインタフェースに対応する輝度調整パラメータに基づいて、現在のバックライト輝度を低下させるステップは、
前記現在のバックライト輝度に前記ターゲットのインタフェースに対応する調整割合を乗算して、低下後のバックライト輝度を取得するステップ、又は、
前記現在のバックライト輝度と前記ターゲットインタフェースに対応する調整割合を乗算した積を算出し、前記現在のバックライト輝度から前記積を差し引いて、低下後のバックライト輝度を取得するステップ、を含む
ことを特徴とする請求項１〜６のいずれか１項に記載の方法。
【請求項９】
ターゲットアプリケーションプログラムを使用するプロセスにおいて、ターゲットインタフェースが表示されたことを検出した場合、予め記憶されたアプリケーションプログラムのインタフェースと輝度調整パラメータとの対応関係に基づいて、前記ターゲットインタフェースに対応する輝度調整パラメータを決定するための決定モジュールと、
前記ターゲットインタフェースに対応する輝度調整パラメータに基づいて、現在のバックライト輝度を低下させるための調整モジュールと、を備える
ことを特徴とする画面表示制御の装置。
【請求項１０】
前記決定モジュールは、
現在の環境光の輝度を取得し、
前記現在の環境光の輝度が予め設定された輝度の範囲内にあることを決定するためにさらに用いられる
ことを特徴とする請求項９に記載の装置。
【請求項１１】
前記決定モジュールは、
ターゲットインタフェースが表示されたことを検出した場合、現在の環境光の輝度を取得し、
前記現在の環境光の輝度、及び予め記憶されたアプリケーションプログラムのインタフェース、環境光の輝度範囲と輝度調整パラメータとの対応関係に基づいて、前記ターゲットインタフェースに対応する輝度調整パラメータを決定するために用いられる
ことを特徴とする請求項９に記載の装置。
【請求項１２】
前記決定モジュールは、
現在のバックライト輝度を取得し、
前記現在のバックライト輝度がプリセット数値よりも大きいことを決定するためにさらに用いられる
ことを特徴とする請求項９に記載の装置。
【請求項１３】
前記決定モジュールは、
ターゲットインタフェースが表示されたことを検出した場合、現在のバックライト輝度を取得し、
前記現在のバックライト輝度、及び予め記憶されたアプリケーションプログラムのインタフェース、バックライト輝度範囲と輝度調整パラメータとの対応関係に基づいて、前記ターゲットインタフェースに対応する輝度調整パラメータを決定するために用いられる
ことを特徴とする請求項９に記載の装置。
【請求項１４】
プリセット期間ごとにサーバーに輝度調整パラメータを取得する要求を送信するための送信モジュールと、
前記サーバーから送信された前記アプリケーションプログラムのインタフェースに対応する輝度調整パラメータを受信するための受信モジュールと、
受信されたアプリケーションプログラムのインタフェースに対応する輝度調整パラメータに基づいて、前記予め記憶されたアプリケーションプログラムのインタフェースと輝度調整パラメータとの対応関係を更新するための更新モジュールと、をさらに備える
ことを特徴とする請求項９に記載の装置。
【請求項１５】
前記輝度調整パラメータが調整輝度であり、
前記調整モジュールは、
前記現在のバックライト輝度から前記ターゲットインタフェースに対応する調整輝度を差し引いて、低下後のバックライト輝度を取得するために用いられる
ことを特徴とする請求項９〜１４のいずれか１項に記載の装置。
【請求項１６】
前記輝度調整パラメータが調整割合であり、
前記調整モジュールは、
前記現在のバックライト輝度に前記ターゲットインタフェースに対応する調整割合を乗算して、低下後のバックライト輝度を取得する、又は、
前記現在のバックライト輝度と前記ターゲットインタフェースに対応する調整割合を乗算した積を算出し、前記現在のバックライト輝度から前記積を差し引いて、低下後のバックライト輝度を取得するために用いられる
ことを特徴とする請求項９〜１４のいずれか１項に記載の装置。
【請求項１７】
記録媒体において、少なくとも１つの命令、少なくとも１つのプログラム、コードセットまたは命令セットが記憶され、前記少なくとも１つの命令、前記少なくとも１つのプログラム、前記コードセット又は命令セットがプロセッサによりロードされ実行されることで、請求項１〜８のいずれか１項に記載の画面表示制御の方法が実行される、
ことを特徴とするコンピュータが読み取り可能な記録媒体。
【請求項１８】
プロセッサと、
少なくとも１つの命令、少なくとも１つのプログラム、コードセットまたは命令セットが記憶されているメモリと、を備え、
前記少なくとも１つの命令、前記少なくとも１つのプログラム、前記コードセット又は命令セットが前記プロセッサによりロードされ実行されることで、請求項１〜８のいずれか１項に記載の画面表示制御の方法が実行される、
ことを特徴とする画面表示制御の装置。
【請求項１９】
プロセッサに実行されることにより、請求項１から請求項８のいずれか１項に記載の画面表示制御の方法を実現することを特徴とするプログラム。
【国際調査報告】
2020507093.tif 000010
2020507093.tif 000011
2020507093.tif 000012
2020507093.tif 000013
2020507093.tif 000014
2020507093.tif 000015